(57)【要約】【課題】可動パネルの前縁部から落下した水が機能部品を濡らすことを抑制できるルーフ装置を提供する。【解決手段】案内溝４１及びレール側排水溝４２が形成され車両のルーフに形成された開口の車両の幅方向各縁部に車両の前後方向に延設されたガイドレール１４と、第１及び第２ハウジング側排水溝４６，４７が形成され両ガイドレール１４の前端同士を連結して車両の幅方向に延設されたフロントハウジング１５と、可動パネルの車両の幅方向各縁部に設けられ、案内溝４１に機能部品を介して支持された支持ブラケット２１とを備え、可動パネルをチルトアップ状態のまま開作動させるように構成されており、支持ブラケット２１の前端部には、案内溝４１の上方を車両の幅方向に跨いで可動パネルの前縁部から落下する水を第１及び第２ハウジング側排水溝４６，４７の両方に向かう車両の幅方向に案内可能な排水溝３３が形成されている。【選択図】図４
2015063287.tif 000002
【特許請求の範囲】
【請求項１】
車両のルーフに形成された開口を開閉するように適合される可動パネルと、
案内溝及びレール側排水溝が形成され、前記開口の車両の幅方向各縁部に車両の前後方向に延設されたガイドレールと、
ハウジング側排水溝が形成され、前記両ガイドレールの前端同士を連結して車両の幅方向に延設されたフロントハウジングと、
前記可動パネルの車両の幅方向各縁部に設けられ、前記案内溝に機能部品を介して支持された支持ブラケットとを備え、
前記可動パネルをチルトアップ状態のまま開作動させるように構成されており、
前記支持ブラケットの前端部には、前記案内溝の上方を車両の幅方向に跨いで前記可動パネルの前縁部から落下する水を前記レール側排水溝及び前記ハウジング側排水溝の少なくとも一方に向かう車両の幅方向に案内可能な排水溝が形成された、ルーフ装置。
【請求項２】
請求項１に記載のルーフ装置において、
前記排水溝は、車両の幅方向両側に排水口を有する、ルーフ装置。
【請求項３】
請求項２に記載のルーフ装置において、
前記排水溝は、車両の幅方向中央部に形成された稜線を挟んで車両の幅方向両側が下降するように傾斜した、ルーフ装置。
【請求項４】
請求項２又は３に記載のルーフ装置において、
前記可動パネルのチルトアップ状態において、前記排水溝に落下した水が車両の幅方向内側の前記排水口に偏って排出されることを抑える抑制部を備えた、ルーフ装置。
【発明の詳細な説明】
【技術分野】
【０００１】
本発明は、例えば自動車などの車両に搭載されるルーフ装置に関するものである。
【背景技術】
【０００２】
従来、ルーフ装置としては、例えば特許文献１に記載されたものが知られている。このルーフ装置は、自動車などの車両のルーフに形成された開口を開閉するように適合される可動パネルを備える。この可動パネルは、その前側部位を支点に後側部位が上昇するチルトアップ動作及び車両の前後方向へのスライド動作可能に取り付けられている。可動パネルによる開口の開閉作動においては、チルトアップ状態のままスライド動作する、いわゆるアウタースライディング式が採用されている。
【０００３】
なお、開口の車両の幅方向各縁部には、ガイドレールを備える側部フレームが設けられている。可動パネルは、その車両の幅方向各縁部に設けられた支持ブラケットがスライダを介してガイドレールに案内及び支持されることで、前述の開閉作動が可能になっている。
【０００４】
また、両側部フレームの前端同士は、車両の幅方向に延在する前部フレームを介して連結されている。そして、各側部フレーム及び前部フレームには、排水溝が形成されている。各ガイドレールの前端部は、前部フレームの排水溝よりも車両の前方に突出しており、該排水溝がガイドレールの下方を通過して、側部フレームの排水溝と連結するように構成されている。これにより、前部フレームの排水溝を流れる水は、ガイドレールの下方を通過して外部に排出される。
【先行技術文献】
【特許文献】
【０００５】
【特許文献１】特許第４１０９５８３号公報
【発明の概要】
【発明が解決しようとする課題】
【０００６】
ところで、このルーフ装置では、ガイドレールが前部フレームの排水溝上方に位置することで、可動パネルの前縁部から落下した水の一部は、ガイドレール内に浸入して該ガイドレール内の機能部品（スライダ等）を濡らす可能性がある。
【０００７】
本発明の目的は、可動パネルの前縁部から落下した水が機能部品を濡らすことを抑制できるルーフ装置を提供することにある。
【課題を解決するための手段】
【０００８】
上記課題を解決するルーフ装置は、車両のルーフに形成された開口を開閉するように適合される可動パネルと、案内溝及びレール側排水溝が形成され、前記開口の車両の幅方向各縁部に車両の前後方向に延設されたガイドレールと、ハウジング側排水溝が形成され、前記両ガイドレールの前端同士を連結して車両の幅方向に延設されたフロントハウジングと、前記可動パネルの車両の幅方向各縁部に設けられ、前記案内溝に機能部品を介して支持された支持ブラケットとを備え、前記可動パネルをチルトアップ状態のまま開作動させるように構成されており、前記支持ブラケットの前端部には、前記案内溝の上方を車両の幅方向に跨いで前記可動パネルの前縁部から落下する水を前記レール側排水溝及び前記ハウジング側排水溝の少なくとも一方に向かう車両の幅方向に案内可能な排水溝が形成される。
【０００９】
この構成によれば、前記案内溝の上方で前記可動パネルの前縁部から落下した水は、前記排水溝により前記レール側排水溝及び前記ハウジング側排水溝の少なくとも一方に向かう車両の幅方向に案内される。このため、前記可動パネルの前縁部から落下した水が前記案内溝内の機能部品を濡らすことを抑制できる。
【００１０】
上記ルーフ装置について、前記排水溝は、車両の幅方向両側に排水口を有することが好ましい。
この構成によれば、前記排水溝は、前記可動パネルの前縁部から落下する水を前記両排水口から排出することで、排水性を向上させることができる。
【００１１】
上記ルーフ装置について、前記排水溝は、車両の幅方向中央部に形成された稜線を挟んで車両の幅方向両側が下降するように傾斜することが好ましい。
この構成によれば、前記排水溝は、前記稜線を挟んで車両の幅方向両側に落下した水を、前記両排水口からそれぞれ排出されるように案内することができる。
【００１２】
上記ルーフ装置について、前記可動パネルのチルトアップ状態において、前記排水溝に落下した水が車両の幅方向内側の前記排水口に偏って排出されることを抑える抑制部を備えることが好ましい。
【００１３】
この構成によれば、前記可動パネルのチルトアップ状態において、前記抑制部により前記排水溝に落下した水が車両の幅方向内側の前記排水口に偏って排出されることを抑えることができる。
【発明の効果】
【００１４】
本発明は、可動パネルの前縁部から落下した水が機能部品を濡らすことを抑制できる効果がある。
【図面の簡単な説明】
【００１５】
【図１】ルーフを斜め上方から見た斜視図。
【図２】本発明の一実施形態を示す平面図。
【図３】（ａ）、（ｂ）は、同実施形態のチルトアップ状態及び全開状態をそれぞれ概略的に示す縦断面図。
【図４】（ａ）は、同実施形態を示す平面図であり、（ｂ）は、（ａ）の４Ｂ−４Ｂ線に沿った断面図。
【図５】支持ブラケットを示す斜視図。
【発明を実施するための形態】
【００１６】
以下、ルーフ装置の一実施形態について説明する。なお、以下では、車両の前後方向を「前後方向」といい、車室内方に向かう車両の幅方向内側を「車内側」といい、車室外方に向かう車両の幅方向外側を「車外側」という。
【００１７】
図１に示すように、自動車などの車両のルーフ１０には、略四角形の開口１０ａが形成されるとともに、サンルーフ装置１１が搭載される。このサンルーフ装置１１は、車両の幅方向に延在して開口１０ａの前縁部に配置及び支持されたデフレクタ１２を備えるとともに、前後方向に移動して開口１０ａを開閉する、例えばガラス板からなる略四角形の可動パネル１３を備える。
【００１８】
デフレクタ１２は、その後部を中心に回動することで前部が上動する、いわゆるチルトアップ動作可能に取り付けられている。デフレクタ１２は、可動パネル１３の開作動に伴い該可動パネル１３から解放されてチルトアップ動作し、ルーフ１０上面よりも上方に突出する（展開状態）。あるいは、デフレクタ１２は、可動パネル１３の閉作動に伴い該可動パネル１３から押さえ込まれてルーフ１０上面の下方に収まる（格納状態）。デフレクタ１２は、開口１０ａを開放した際に展開状態になることで、車室内への風の巻き込みによる空気振動を防止する。
【００１９】
可動パネル１３は、その前側部位を支点に後側部位が上昇するチルトアップ動作及び前後方向へのスライド動作可能に取り付けられている。可動パネル１３による開口１０ａの開閉作動においては、チルトアップ状態のままスライド動作する、いわゆるアウタースライディング式が採用されている。
【００２０】
次に、可動パネル１３の開閉作動等に係るサンルーフ装置１１の構造について説明する。
図２に示すように、開口１０ａの車両の幅方向両縁部には、一対のガイドレール１４が配設されている。各ガイドレール１４は、例えばアルミニウム合金の押出材からなり、長手方向に一定断面を有して前後方向に延在する。また、両ガイドレール１４の前端同士は、車両の幅方向に延在するフロントハウジング１５を介して連結されている。
【００２１】
両ガイドレール１４の車内側寄りの前端部には、前記デフレクタ１２の長手方向両端部が車両の幅方向に延びる軸線の周りにそれぞれ回動自在に支持されている。
また、両ガイドレール１４には、デフレクタ１２よりも車外側で、一対の機能部品２０が前後方向にそれぞれ移動可能に案内及び支持されている。両機能部品２０には、それらの間に橋渡しされる状態で前記可動パネル１３が連係及び支持されている。両機能部品２０は、ガイドレール１４に沿う前後方向への移動に伴い、可動パネル１３をチルトアップ動作又はスライド動作させる。
【００２２】
なお、フロントハウジング１５の長手方向中間部には、例えば出力ギヤを有する電動モータなどの電気的駆動源１６が設置されている。この電気的駆動源１６は、例えば樹脂材からなる略帯状の一対の駆動ベルト１７の各々を介して各機能部品２０に連結されており、両機能部品２０を同時に前後方向に移動させる。
【００２３】
図３（ａ）、（ｂ）に示すように、可動パネル１３の車両の幅方向各縁部下部には、例えば金属板からなる支持ブラケット２１が設けられている。この支持ブラケット２１は、デフレクタ１２よりも車外側で、機能部品２０と連結されており、該機能部品２０を介することでガイドレール１４に回動自在及び摺動自在に支持されている。つまり、可動パネル１３は、支持ブラケット２１及び機能部品２０を介してガイドレール１４に支持されることで、電気的駆動源１６の駆動力にて前述の開閉作動を行う。
【００２４】
図５に併せ示すように、支持ブラケット２１の前端部上部には、該支持ブラケット２１の車内側及び車外側に突出するカバー部２２が一体的に設けられている。従って、カバー部２２は、可動パネル１３の開閉作動に伴って一体で移動する。このカバー部２２は、縦壁を構成する第１縦壁３１及び第２縦壁３２が前後方向に並設されており、それら第１縦壁３１及び第２縦壁３２間に、車両の幅方向に連通する排水溝３３を形成する。換言すれば、第１縦壁３１及び第２縦壁３２は、排水溝３３を流れる水が車両の前方及び後方にそれぞれ流れることを防止する。
【００２５】
図４（ａ）、（ｂ）に示すように、ガイドレール１４には、前後方向に連通する案内溝４１が形成されるとともに、該案内溝４１の車外側に隣接してレール側排水溝４２が形成されている。前記機能部品２０は、案内溝４１においてガイドレール１４に前後方向に移動可能に案内及び支持されている。レール側排水溝４２は、支持ブラケット２１よりも車外側に位置しており、可動パネル１３の車両の幅方向縁部に沿って前後方向に連通する。レール側排水溝４２は、可動パネル１３の車両の幅方向縁部から落下した水を前後方向に流す。
【００２６】
一方、フロントハウジング１５には、可動パネル１３の前縁部に沿って車両の幅方向に連通する第１ハウジング側排水溝４６が形成されるとともに、該第１ハウジング側排水溝４６の車外側に隣接して第２ハウジング側排水溝４７が形成されている。第１ハウジング側排水溝４６は、可動パネル１３の前縁部から落下した水を車両の幅方向に流して外部に排出する。第２ハウジング側排水溝４７は、ガイドレール１４を下方から内包する断面略Ｕ字状に成形されており、レール側排水溝４２を前後方向に流れる水を受けて外部に排出する。
【００２７】
なお、可動パネル１３の全閉状態では、カバー部２２の排水溝３３は、車内側端及び車外側端がそれぞれ第１ハウジング側排水溝４６及び第２ハウジング側排水溝４７の直上に位置している。従って、可動パネル１３からカバー部２２に落下した雨水等の水は、排水溝３３により車内側に案内されて第１ハウジング側排水溝４６へと排出され、あるいは、車外側に案内されて第２ハウジング側排水溝４７へと排出される。
【００２８】
ここで、排水溝３３は、その車両の幅方向中央部に対して車内側及び車外側が下降するように傾斜しており、該中央部は、第１縦壁３１及び第２縦壁３２間を前後方向に直線状に延びる稜線３３ａを形成する。従って、稜線３３ａを挟んでその車内側及び車外側で排水溝３３に落下した水は、基本的に第１ハウジング側排水溝４６及び第２ハウジング側排水溝４７にそれぞれ排出されるように排水溝３３に案内される。つまり、排水溝３３の車内側端及び車外側端は、該排水溝３３の排水口３３ｂ，３３ｃをそれぞれ形成する。
【００２９】
また、排水溝３３後端を区画する第２縦壁３２は、可動パネル１３の角部の外形にならって略弓形に湾曲するものの、排水溝３３前端を区画する第１縦壁３１は、車両の幅方向に略直線状に延びている。つまり、排水溝３３は、第１縦壁３１が略直線状に延びる分だけ車外側に向かって徐々に拡開されている。これは、例えば第１縦壁３１を可動パネル１３の角部の外形にならって略弓形に湾曲させてしまうと、可動パネル１３がチルトアップ状態にあるときに、支持ブラケット２１の回動中心から離れる分だけ排水溝３３の車内側部に対して車外側部が上昇することになるためである。この場合、排水溝３３に落下した水をその車内側部（排水口３３ｂ）のみから排出することになって、排水性の悪化を余儀なくされる。第１縦壁３１の前記形状は、排水溝３３に落下した水が排水口３３ｂに偏って排出されることを抑える抑制部３４を形成する。
【００３０】
次に、本実施形態の作用について説明する。
案内溝４１の上方で可動パネル１３の前縁部から落下した水は、排水溝３３により第１ハウジング側排水溝４６及び第２ハウジング側排水溝４７の両方に向かう車両の幅方向に案内される。このため、可動パネル１３の前縁部から落下した水が案内溝４１内の機能部品２０を濡らすことが抑制される。
【００３１】
以上詳述したように、本実施形態によれば、以下に示す効果が得られるようになる。
（１）本実施形態では、案内溝４１の上方で可動パネル１３の前縁部から落下した水は、排水溝３３により第１ハウジング側排水溝４６及び第２ハウジング側排水溝４７の両方に向かう車両の幅方向に案内される。このため、可動パネル１３の前縁部から落下した水が案内溝４１内の機能部品２０を濡らすことを抑制できる。あるいは、例えば案内溝４１内の機能部品２０を濡らさないようにガイドレール１４の前端部にカバー部材を別設したりする必要がなく、部品点数の増加を回避することができる。
【００３２】
（２）本実施形態では、排水溝３３は、可動パネル１３の前縁部から落下する水を両排水口３３ｂ，３３ｃから排出することで、排水性を向上させることができる。
（３）本実施形態では、排水溝３３は、稜線３３ａを挟んで車両の幅方向両側が下降するように傾斜することにより、該稜線３３ａを挟んで車両の幅方向両側に落下した水を、両排水口３３ｂ，３３ｃからそれぞれ排出されるように案内することができる。
【００３３】
（４）本実施形態では、可動パネル１３のチルトアップ状態において、抑制部３４により排水溝３３に落下した水が排水口３３ｂから偏って排出されることを抑えることができる。
【００３４】
なお、上記実施形態は以下のように変更してもよい。
・前記実施形態において、抑制部３４を省略してもよい。つまり、第１縦壁３１は、例えば可動パネル１３の角部の外形にならって略弓形に湾曲していてもよい。
【００３５】
・前記実施形態において、排水溝３３の稜線３３ａを省略してもよい。例えば排水溝３３は、車両の幅方向に略水平に連通していてもよい。
・前記実施形態において、排水溝３３の両排水口３３ｂ，３３ｃのいずれか一方を閉塞してもよい。つまり、排水溝３３は、これに落下した水を、車内側及び車外側のいずれか一方のみ、即ち第１ハウジング側排水溝４６及び第２ハウジング側排水溝４７のいずれか一方のみに排出するものであってもよい。
【００３６】
・前記実施形態において、ガイドレール１４のレール側排水溝４２が排水溝３３の位置まで車両の前方に延出しているのであれば、該排水溝３３は、排水口３３ｃからレール側排水溝４２に水を排出するものであってもよい。この場合、排水溝３３は、排水口３３ｂから第１ハウジング側排水溝４６に水を排出するものであってもよいし、排水口３３ｂを閉塞して第１ハウジング側排水溝４６に水を排出しないものであってもよい。
【００３７】
・前記実施形態において、フロントハウジング１５の第１及び第２ハウジング側排水溝４６，４７は、互いに連通していてもよいし、独立していてもよい。
【符号の説明】
【００３８】
１０…ルーフ、１０ａ…開口、１３…可動パネル、１４…ガイドレール、１５…フロントハウジング、２０…機能部品、２１…支持ブラケット、２２…カバー部、３３…排水溝、３３ａ…稜線、３３ｂ，３３ｃ…排水口、３４…抑制部、４１…案内溝、４２…レール側排水溝、４６…第１ハウジング側排水溝（ハウジング側排水溝）、４７…第２ハウジング側排水溝（ハウジング側排水溝）。
【図１】
2015063287.tif 000003
【図２】
2015063287.tif 000004
【図３】
2015063287.tif 000005
【図４】
2015063287.tif 000006
【図５】
2015063287.tif 000007